【事件の表示】
　平成１０年特許願第１７５１８４号「楽譜認識装置」拒絶査定に対する審判事件［平成１０年１２月１８日出願公開、特開平１０−３３４１７９］について、次のとおり審決する。
【結　論】
　本件審判の請求は、成り立たない。
【理　由】
１．手続の経緯・本願発明
　本願は、平成５年１１月２５日に出願した特願平５−２９５４２３号の一部を平成１０年６月２２日に新たな特許出願としたものであって、その請求項１に係る発明は、平成１３年２月１３日、および平成１３年５月１０日付けの手続補正書により補正された明細書及び図面の記載からみて、本願の特許請求の範囲の請求項１に記載されたとおりの次のものと認める。
「【請求項１】　
　複数の楽譜記号が含まれる画像データを一括して読み込む読み込み手段と、
　読み込んだ画像データを解析して認識する認識手段と、
　画像データに含まれる楽譜記号が前記認識手段で認識できた場合記号コードを、認識できなかった場合前記画像データを外接長方形で囲んで、前記外接長方形の座標情報、縦方向及び横方向の長さ情報を含む認識不可コードを記録する記録手段と、
　記録した記号コード、認識不可コードに基づいて前記画像データを楽譜画像として再構成する再構成手段と、
　前記記号コードに対応した記号フォントを表示し、前記認識不可コードについては該認識不可コード中の座標情報、縦方向及び横方向の長さ情報が示す前記画像データに基づいて画像を表示するものであって、該記号フォントと該画像データに基づく画像とで色を異ならせる、または該記号フォントと該画像データに基づく画像とのいずれかを点滅させる表示制御手段と
を有する楽譜認識装置。」
　
２．引用例
（１）引用例１　特開平４−５７１８３号公報
　これに対して、原審の拒絶理由に引用文献４として引用された、特開平４−５７１８３号公報（以下、「引用例１」と言う。）には、次の事項が記載されている。
　（ア）「［従来の技術］
　
従来、楽譜を認識する方法
　（イ）「しかしながら、譜面上のかすれや汚れのために、楽譜認識の精度か低下することも生じていた。
　このような不都合を解決するため、従来、楽典規則を利用していた。例えば、「１小節に含まれる音符や休符の拍数合計は、拍子に等しい」を利用していた。そして、この楽典規則が満たされていない場合には、音符や休符を構成する付点や旗を詳細に再検索したり、休符を強制的に挿入したり、
エラーメッセージを表示してオペレータに補助を求めたりしていた
　（エ）「第２図はこの実施例のハードウェア構成を示すものである。この実施例も、ニューラルネットワークを利用した他のパターン認識方式と同様なハードウェア構成を有する。
　すなわち、中央処理ユニット（ＣＰＵ）３０及びメモリ３１でなる主制御手段と、入力手段としてのキーボード３２及びイメージスキャナ３３と、出力手段としてのＣＲＴディスプレイ３４及びプリンタ３５と、補助記憶装置としてのフロッピーディスクドライブ３６とを備えている。ニューラルネットワーク処理部３７（第７図参照）は、ソフトウェア的に構成することもできるが、この実施例の場合には、例えばデジタルシグナルプロセッサ（ＤＳＰ）によってハードウェア的に構成されている。
　キーボード３２からの情報によって処理モードが制御されながら、イメージスキャナ３３が譜面から取り込んだ画像データをフロッピーディスクドライバ３６に一旦格納し、これをＣＰＵ３０がメモリ３１を利用しながら適宜処理し、その際、ニューラルネットワークによる処理が必要なときにはニューラルネットワーク処理部３７に処理を実行させ、最終的に得られた楽譜認識結果をフロッピーディスクドライバ３６によって記憶させたり、ＣＲＴディスプレイ３４やプリンタ３５から出力させたりする。」（引用例１の３頁上右欄１０行〜同頁下左欄１６行）
　（オ）「不一致の場合には各候補の組み合わせを変えて同様な処理を行い、各候補の全ての組み合わせに対して１個も一致するものを見つけられない場合にエラーメッセージを表示させる（ステップ１０６〜１０８）」（引用例１の４頁上右欄９〜１３行）
　
　これらの記載より引用例１には次のことが記載されている。
「従来、楽譜を認識する方法としては、認識対象譜面から取り出された記号（音符や休符）パターンと、予め用意されている「手本記号」パターンとを比較して認識するパターンマッチング法や、記号パターンを、その記号パターンに外接する矩形領域の大きさや縦横比や点の分布や線の繋がり等の特徴に置換えて「手本特徴」と比較する特徴分類法が用いられている。
　しかしながら、譜面上のかすれや汚れのために、楽譜認識の精度か低下することも生じていた。
　このような不都合を解決するため、従来、楽典規則を利用していた。例えば、「１小節に含まれる音符や休符の拍数合計は、拍子に等しい」を利用していた。そして、この楽典規則が満たされていない場合には、エラーメッセージを表示してオペレータに補助を求めたりしていた。
　ニューラルネットワーク処理を用いたものにおいては、中央処理ユニット（ＣＰＵ）３０及びメモリ３１でなる主制御手段と、入力手段としてのキーボード３２及びイメージスキャナ３３と、出力手段としてのＣＲＴディスプレイ３４及びプリンタ３５と、補助記憶装置としてのフロッピーディスクドライブ３６とを備え、キーボード３２からの情報によって処理モードが制御されながら、イメージスキャナ３３が譜面から取り込んだ画像データをフロッピーディスクドライバ３６に一旦格納し、これをＣＰＵ３０がメモリ３１を利用しながら適宜処理し、その際、ニューラルネットワークによる処理が必要なときにはニューラルネットワーク処理部３７に処理を実行させ、最終的に得られた楽譜認識結果をフロッピーディスクドライバ３６によって記憶させたり、ＣＲＴディスプレイ３４やプリンタ３５から出力させたりする。」
　
３．周知例
（１）周知例１　特開昭６３−３１６１８９号公報
  原審の拒絶理由に引用文献２として引用された、特開昭６３−３１６１８９号公報（以下、「周知例１」と言う。）には、次の事項が記載されている。
　（ア）「第１図はこの発明の一実施例によるＯＣＲ装置の概略構成を示す。
　同図に示すＯＣＲ装置は、先ず、画像入力部２、入力画像記憶部３、文字認識部（ＯＣＲ）４、コード・データ記憶部５、文字パターン発生部６、表示画像記憶部７、表示部（ディスプレイ）８、プリンタ９、修正処理手段１０、キーボード等の入力装置１１、および文字画像抽出手段１２を有する。
　画像入力部２は、ファクシミリなどによって読み取られたＯＣＲ原稿１の画像を入力する。
　ＯＣＲ原稿１は、第２図にその書式の一例を示すように、ＯＣＲ原稿であることを表すヘッダーマーク１Ａ、行を示すタイミングマーク１Ｂ、および１次ずつの文字記入欄１Ｃなどが設けられている。
　画像入力部２から入力された画像には、入力画像記憶部３に一旦記憶される。
　文字認識部４は、入力画像記憶部３に記憶された入力画像の所定箇所にある手書文字画像を１字分ずつ抜き出して認識処理にかける。認識された文字は１字分ずつ文字コードに変換される。このとき、元の手書文字が崩し字や癖字であったりして、文字として認識できなかった場合には、その認識できなかった文字画像だけを一種のダミーであるリジェクト・コードに仮変換する。このリジェクト・コードは、正規に認識された文字コードとともに、変換順に出力されてコード・データ記憶部５に格納される。
　文字パターン発生部６は、コード・データ記憶部５に格納されたコードのうち、正規に認識された変換された文字コードが指示する文字パターンを生成する。この文字パターンの生成は、図示を省略するが、あらかじめ用意された文字フォントセットから引用することにより行われる。生成された文字パターンは、表示画像記憶部７にビットマップ・イメージの形で記憶される。
　表示部８はＣＲＴ表示装置などを用いて構成され、表示画像記憶部７に記憶されたイメージ・データをビットマップ方式で表示する。このとき、上記文字パターン発生部５が生成した文字パターンは、元の手書文字の記入欄に対応する位置に表示される。
　プリンタ９は、上記コード・データ記憶部５に格納された文字コード列あるいは表示器億部７に記憶されたイメージのハード・コピーを印刷出力する。
　修正処理手段１０は、キーボード等の入力装置１１からの操作入力に基づいて、上記コード・データ記憶部５の記憶内容を修正処理する一種の編集機能を備えている。この修正処理手段１０によって修正処理されたコードデータ記憶部５の記憶内容は、ＯＣＲ装置の出力データとして外部へも出力されるようになっている。
　そして、文字画像抽出部１２は、上記文字認識部５で認識されなかった文字画像を入力画像から抽出し、この抽出文字画像から上記文字パターンに代わるイメージ・パターンを生成する。この文字画像抽出手段１２は、文字認識部４がリジェクト・コードの原因となった手書文字画像を抽出する。抽出された文字画像は、縮小あるいは拡大などの処理によって、正規の文字パターンと同じドット構成（たとえば２４×２４ドット）をもつイメージ・パターンに変換される。
　このようにして生成されたイメージ・パターンは、上記文字パターン発生部６で生成された正規の文字パターンと同じように、表示画像記憶部７にビットマップ・イメージの形で記憶される。
　これにより、上記表示部８には、第３図に示すように、正規に生成された文字のパターン１３に混じって認識されなかった手書文字の像をそのまま表すイメージ・パターン１４が、それぞれに元の記入欄に対応する位置で表示される。この場合、好ましくは、イメージ・パターン１４だけが、色分けや黒白反転あるいは枠囲いなどによって、正規の文字パターンと異なる態様で表示されるようにする。」（周知例１の２頁下左欄８行〜３頁下左欄５行）
　
　これらの記載より周知例１には次のことが記載されている。
「ＯＣＲ原稿を入力する画像入力部と、
　読み込んだ画像データを解析して認識する文字認識部と、
　画像データに含まれる文字が前記認識部で認識できた場合文字コードを、認識できなかった場合リジェクト・コードを記録するコード・データ記録部と、
　記録した文字コードに基づいて文字パターンを生成させる文字パータン発生部と、
　記録したリジェクト・コードに基づいて、認識されなかった文字画像を入力画像から抽出し、この抽出画像から文字パターンに代わるイメージ・パターンを生成する文字画像抽出手段と、
　元の手書文字の記入欄に対応する位置に表示されるように、文字パターンとイメージ・パターンとをビットマップ・イメージの形で記憶する表示画像記憶部と、
　表示画像億部に記憶されたイメージ・データをビットマップ方式で表示する、ＣＲＴ表示装置などの表示部とを有し、
　上記表示部には、正規に生成された文字のパターンに混じって認識されなかった手書文字の像をそのまま表すイメージ・パターンが、それぞれに元の記入欄に対応する位置で表示され、イメージ・パターンだけが、
色分け
異なる態様で表示
　
（２）周知例２　実願昭６３−１３２０５５号（実開平２−５３０９６号）の願書に添付された明細書および図面の内容を撮影したマイクロフィルム
　（ア）「第１図は、本考案の１実施例の電気的構成を示すブロック図である。音響化しようとする楽譜１は、たとえば電荷結合素子（ＣＣＤ）などの撮像素子を用いた図形入力部２によって光学的に読取られ、予め定められた分解能によって決定される最小単位領域が印刷された部分（黒い部分）であれば「１」とされ、空白部分（白い部分）であれば「０」とするように量子化されて電気的信号に変換される。このようにして得られた２次元の画像データは、後述される態様に従ってメモリ３に記憶される。
　メモリ３に記憶された画像データのうち楽譜データは、予めメモリ４に記憶された標準楽譜データとパターン比較部５において比較される。パターン比較器５の比較結果は符号化されてメモリ６に記憶される。音源合成部７では前記メモリ６に記憶された符号化データに対応した音の波形合成が行われ、増幅部８を介してスピーカ９によって音響化される。前記図形入力部２、メモリ３、４、６、パターン比較部５および音源合成部７の動作は、それぞれ制御部１０によって制御され、この制御部１０には表示部１１およびキー入力部１２が接続される。」（周知例２の４頁１行〜５頁３行）
　（イ）「なお、図形入力部２において読取る楽譜１が例えば
印刷が不明瞭なため
読取ることができない場合
楽譜情報を表示部１１に再び楽譜情報として表示し
楽譜の修正を行う
　
（３）周知例３　特開平４−２９８７８８号公報
　「【００４５】さらに、ＣＰＵ８は、主メモリ１３に作成された演奏曲ファイルデータを任意に編集を可能ならしめる機能も有する。この機能も従来汎用されているコンピュータシステムと同じものであり、その概要について説明すると、楽譜データ領域、アドレス領域、音符領域に作成された演奏用ファイルデータは、ＣＰＵ８によって主メモリ１３の作業領域に複写され、その複写データに基づいて図３に示す譜面あるいは譜面に準じた楽譜図絵がグラフィック領域に作成される。
【００４６】グラフィック領域に作成された楽譜図絵は、入出力回路１２、ＣＰＵ８、入出力回路１７を経て表示装置１６へ導かれてグラフィック画面の表示画行われ、そしてその表示画面についての編集が可能にされる。画面編集はキーボード６を通じて行われ、各種符号の変更、追加、あるいは音符の変更、追加のような編集作業を可能にする。その編集結果は、表示装置に表示される一方、主メモリ１３の作業領域に書き込み記憶される。」（周知例３の５頁８欄１２〜２９行）
　
（４）周知例４　実願昭６３−１３０２９６号（実開平２−５１３９６号）の願書に添付された明細書および図面の内容を撮影したマイクロフィルム
　（ア）「第１図にこの考案の構成を示す。同図において楽譜読取手段１はタッチパネルやディジタイザなどの手書き入力を読み取る装置である。認識用データ記憶手段２は、手書き入力された楽譜の記号が音符や休符などの楽譜構成記号のいずれに相当するかを認識するためのデータを予め記憶している。表示用データ記憶手段３は楽譜構成記号を表示する際に用いる表示用データを記憶している。認識手段４は楽譜読取手段１により読み取ったデータと認識用データ記憶手段２のデータとに基づいて、手書き入力された楽譜の構成記号を認識し、表示用データ記憶手段３から対応するデータを選択する。楽譜表示手段３から対応するデータを選択する。楽譜表示手段５は選択された表示用データに基づき楽譜を表示する。
　以上のように構成したため、手書入力された楽譜が一旦認識されて、対応する楽譜構成記号により楽譜としてきれいに表示される。」（周知例４の４頁３〜１９行）
　（イ）「
認識により得られたフォントコードおよびそのフォントの表示位置を記憶する
フォントコードに対応するフォントデータ
表示が
　（ウ）「ステップｎ１１或いはステップｎ１６のいずれの処理でも認識が不可能であれば、入力データを認識未確定のまま入力データメモリに記憶しておく。もし操作者が１つの記号入力を終了した時点でも
認識が行われず
表示が変化しなかった場合、手書入力が不適切であったことに気付き、その記号の入力をやり直すこ
　
（５）周知例５　特開平３−１４９６４８号公報
　「次に、像域分離処理について文字領域と判断された部分に対して、第２図に示す（１）〜（３）、（５）〜（７）のように１文字ずつに文字を切り分ける処理を行う（Ｓ２）。
　そして、文字認識処理のために、大きさの異なる文字領域を同じ大きさに正規化する処理を施す（Ｓ３）。ここでフォントサイズや座標データが一時記憶される。
　次に、文字認識処理（Ｓ４）により、あらかじめＲＯＭ２に格納されている各文字データの特徴と類似点を比較し、最も類似度が高い文字が決定される。
　そして、次に文字種決定処理（Ｓ５）により、例えば（１）のように、白抜き文字で全体で１つのマークのようになっている文字や、（３）のように、ｒとｎと粉らわしく類似度が拮抗していて確定できない文字、あるいは（６）のように、サイン等の手書き文字等が一体化された文字、さらには（７）のように、汚れ等のため確定不可能な文字が決定される。
　そして、これらの文字は、前述の像域分離処理（Ｓ１）において中間調領域と判定された（４）の中間調部分と一緒にイメージ領域とみなされ、
最小面積化処理を施される
この最小面積化処理は、上記各イメージ領域を、矩形の枠によって、最小の面積で囲むものであり、各イメージ領域は、枠の左上と右下の座標ポイントを付加されて一時記憶される
　次に、誤差拡散法などの２値化処理やエッジ強調やノイズ除去などの画像処理を施され（Ｓ７）、さらにデータ圧縮処理が行われる（Ｓ８）。
　そして、Ｓ５において文字コードに置き換えられたサイズ／座標付きのデータと、Ｓ６〜Ｓ８において最小面積化および画像処理されて座標データ付きで圧縮されたイメージデータとを、一緒にファイル化する（Ｓ９）。」（周知例５の３頁上右欄７行〜同頁下右欄３行）
　
（６）周知例６　特開昭６０−２４５０８８号公報（原審の拒絶理由通知書の引用文献３）
　（ア）「文字認識装置１により文字認識された
文字コードデータ
待機コードデータ
　（イ）「そこで文字認識された各
文字コードデータ
キャラクタパターンデータ
待機コードデータ部分
読み取られた文字
　（ウ）「なおその際、第２図に示すように、例えば
リジェクト文字Ｒを囲む枠ａを一体に表示させてその部分を強調させる
　
４．対比
　そこで、本願請求項１に係る発明（以下、本願発明という。）と引用例１に記載のものとを比較すると、
　引用例１の「イメージスキャナ」は、本願発明の「読み込み手段」に相当し、
　引用例１の「ＣＰＵ」と「ニューラルネットワーク処理部」は、本願発明の「認識手段」に相当し、
　引用例１の「フロッピーディスクドライバ」は、以下に述べる相違点を除いて、本願発明の「記録手段」に相当し、
　引用例１には明記されていないが、楽譜認識結果をＣＲＴディスプレイに表示するものであるから、データを楽譜画像として再構成する再構成手段があるものと認められ、
　引用例１の「ＣＲＴディスプレイ」は、以下に述べる相違点を除いて、本願発明の「表示制御手段」に相当するから、
　両者は、
「複数の楽譜記号が含まれる画像データを一括して読み込む読み込み手段と、
　読み込んだ画像データを解析して認識する認識手段と、
　画像データを記録する記録手段と、
　画像データを楽譜画像として再構成する再構成手段と、
　認識結果とエラーメッセージを表示する表示制御手段と
を有する楽譜認識装置。」
である点で一致し、下記の点において相違する。
　
（相違点）
（相違点１）
　記憶手段が、本願発明では、画像データに含まれる楽譜記号が認識手段で認識できた場合記号コードを、認識できなかった場合前記
画像データを外接長方形で囲んで
外接長方形の座標情報、縦方向及び横方向の長さ情報を含む認識不可コードを記録する
（相違点２）
　再構成手段が、本願発明では、記録した
記号コード、認識不可コードに基づいて画像データを楽譜画像として再構成する
（相違点３）
　表示制御手段が、本願発明では、記号コードに対応した記号フォントを表示し、認識不可コードについては該認識不可コード中の座標情報、縦方向及び横方向の長さ情報が示す画像データに基づいて画像を表示するものであって、該記号フォントと該画像データに基づく画像とで
色を異ならせる
点滅させる
　
５．当審の判断
（相違点１）について
　引用例１の記憶については、エラーメッセージを表示することが記載されていることをみれば、認識できた記号と、認識できなかった記号とを分けて記憶していることは認めることができる。
　ここで、上記周知例２に示すように、楽譜を正確に読み取ることができない場合には、楽譜情報を表示部に再び表示して、不完全な楽譜の修正を行うことは通常行われていることであり、また、上記周知例４に示すように、楽譜の認識において、認識できものは
フォントコードおよびそのフォントの表示位置を記憶し、
フォントコードに対応するフォントデータ
表示を
表示が変化しなかったことにより入力が不適切であったことに気付き、その記号の入力をやり直すこ
　このように、楽譜の認識において、正確に認識できたものと、認識できなかったものとを別々に処理することは周知のことである。
　さらに、文字の認識において、上記周知例１、周知例５および周知例６に示したように、認識できたものと、認識できなかったものとを別々に記憶することは周知のことである。特に、周知例５では、認識できなかったものについて、矩形の枠の座標ポイントを付加して記憶されている。
　このように、認識できたものをコードにより記憶し、認識できなかったものを枠の座標で記憶することが周知であり、また、文字の認識と楽譜の認識については、共に、原稿上の画像データを認識する点では、楽譜の認識も文字の認識も変わりがない点を考慮すると、引用例１のものにおいて、記憶手段が、画像データに含まれる楽譜記号が認識手段で認識できた場合記号コードを、認識できなかった場合前記
画像データを外接長方形で囲んで
外接長方形の座標情報、縦方向及び横方向の長さ情報を含む認識不可コードを記録するようにすることは当業者が容易に考えられることと認められる。
（相違点２）について
　認識した楽譜を再表示することは、周知例２、周知例３、および周知例４等により周知のことであり、また、文字認識においても、認識した文字をコードデータに変換し、そのコードデータからフォントとして表示し、認識できなかった文字をイメージデータとして表示することが周知のことであるから、引用例１においても、再構成手段により、記録した
記号コード、認識不可コードに基づいて画像データを楽譜画像として再構成する
　
（相違点３）について
　また、認識できなかった文字を、色分けや黒白反転あるいは枠囲い等で強調して表示することは、上記周知例１および周知例６等により周知のことであるから、また、引用例１においても、エラーメッセージを表示することにより認識できなかった場合に対応することが記載されているから、引用例１においても認識できなかった記号を、認識できた記号と分けて表示することは当業者が適宜行えることである。
　したがって、引用例１のものに、表示制御手段を設けて、記号コードに対応した記号フォントを表示し、認識不可コードについては該認識不可コード中の座標情報、縦方向及び横方向の長さ情報が示す画像データに基づいて画像を表示するものであって、該記号フォントと該画像データに基づく画像とで
色を異ならせる
点滅させる
　
６．むすび
　したがって、本願発明は引用例１に記載された発明、及び周知例に基づいて当業者が容易に発明をすることができたものであるので、特許法第２９条第２項の規定により特許を受けることができない。
　よって、結論のとおり審決する。